(57)【要約】【課題】  特に大人用に用いた場合にも、おむつの吸収性能が十分に発揮される適正位置に容易且つ確実におむつを配することができ、被装着者の労力が軽減された使い捨ておむつを提供する。【解決手段】  本発明の使い捨ておむつ１は、液透過性のトップシート２と、液不透過性のバックシート３と、これら両シート間に配置される吸収体４とを有し、着用時に使用者の背側に位置する背側部Ａと腹側に位置する腹側部Ｃと股下に位置する股下部Ｂとが形成されてなる、展開型の使い捨ておむつである。トップシート２側における上記背側部Ａの幅方向略中央部に、おむつの長手方向に沿って目安線１０が設けられている。この目安線１０は、背側部Ａの端縁まで延びている。【選択図】  図１
2004216172.tif 000002
【特許請求の範囲】
【請求項１】
液透過性のトップシートと、液不透過性のバックシートと、これら両シート間に配置される吸収体とを有し、着用時に使用者の背側に位置する背側部と腹側に位置する腹側部と股下に位置する股下部とが形成されている、展開型の使い捨ておむつにおいて、
上記トップシート側における上記背側部の幅方向略中央部に、おむつの長手方向に沿って、目安線が設けられており、上記目安線は、上記背側部の端縁まで延びていることを特徴とする使い捨ておむつ。
【請求項２】
液透過性のトップシートと、液不透過性のバックシートと、これら両シート間に配置される吸収体とを有し、着用時に使用者の背側に位置する背側部と腹側に位置する腹側部と股下に位置する股下部とが形成されている、展開型の使い捨ておむつにおいて、
上記トップシート側における上記背側部の幅方向略中央部に、おむつの長手方向に沿って目安線が設けられており、上記目安線は、上記トップシートと上記バックシートとの間に配されたウエストバリアフィルムに設けられていることを特徴とする使い捨ておむつ。
【発明の詳細な説明】
【技術分野】
【０００１】
本発明は、特に大人用に用いた場合にも、おむつの吸収性能が十分に発揮される適正位置に容易且つ確実におむつを配することができる使い捨ておむつに関する。
【背景技術】
【０００２】
従来より、大人用として用いることができる使い捨ておむつは、種々提案され実用に供されているが、従来用いられていた使い捨ておむつは、おむつを、その吸収性能が十分に発揮される適正位置に装着させることが困難であった。即ち、大人用のおむつを使用する際には、まず、装着者を横向きに寝かせた後、そのお尻側におむつを置き、該装着者を該おむつに向けて（仰向けに）転動させて該装着者のお尻の下におむつを位置させることにより装着操作を行うのが一般的である。
【発明の開示】
【発明が解決しようとする課題】
【０００３】
しかし、このように装着者を転動させて装着させる場合には、大体の目安でおむつを置き、そこに装着者を転動させることになるため、適正位置におむつを位置させるのは困難であり、一旦装着者を転動させた後に再度おむつの位置合わせを行う必要があり、被装着者に多大の労力が要されていた。
従って、本発明の目的は、特に大人用に用いた場合にも、おむつの吸収性能が十分に発揮される適正位置に容易且つ確実におむつを配することができ、被装着者の労力が軽減された使い捨ておむつを提供することにある。
【課題を解決するための手段】
【０００４】
本発明者らは、上記課題を解決すべく鋭意検討を行った結果、おむつのトップシート側に目安線が配されてなる使い捨ておむつが、上記目的を達成し得ることを知見した。
【０００５】
本発明は、上記知見に基づいてなされたものであり、液透過性のトップシートと、液不透過性のバックシートと、これら両シート間に配置される吸収体とを有し、着用時に使用者の背側に位置する背側部と腹側に位置する腹側部と股下に位置する股下部とが形成されている、展開型の使い捨ておむつにおいて、上記トップシート側における上記背側部の幅方向略中央部に、おむつの長手方向に沿って、目安線が設けられており、上記目安線は、上記背側部の端縁まで延びていることを特徴とする使い捨ておむつを提供することにより、上記目的を達成したものである。
【発明の効果】
【０００６】
本発明の使い捨ておむつは、おむつの背側部における幅方向略中央部において、目安線が設けられているので、おむつの位置合わせが容易であり、おむつを確実に適正位置に配することができる。
【０００７】
本発明の使い捨ておむつは、特に大人用に用いた場合に、おむつの吸収性能が十分に発揮される適正位置に容易且つ確実におむつを配することができ、被装着者の労力が軽減されたものである。
【発明を実施するための最良の形態】
【０００８】
以下、本発明の使い捨ておむつを実施例により更に詳細に説明する。
先ず、本発明の使い捨ておむつの第１の実施例について、図１〜図４を参照して説明する。ここで、図１は、本発明の第１の実施例の使い捨ておむつのトップシート側を示す一部破断平面図であり、図２及び図３は、図１に示す使い捨ておむつの１つの使用態様を示す概略斜視図であり、図４は、図１に示す使い捨ておむつの他の使用態様を示す概略斜視図である。
【０００９】
図１に示す第１の実施例の使い捨ておむつ１は、液透過性のトップシート２と、液不透過性のバックシート３と、これら両シート間に配置される吸収体４とを有し、着用時に使用者の背側に位置する背側部Ａと腹側に位置する腹側部Ｃと股下に位置する股下部Ｂとが形成されてなる、展開型の使い捨ておむつである。このような構成は、従来公知の使い捨ておむつと同じである。
【００１０】
更に詳述すると、おむつの股下部Ｂにおける左右両側には、使用者のレッグ部へのフィット性を向上させるためのレッグ部弾性部材５が、またおむつの長手方向両端部には、使用者のウエスト部へのフィット性を向上させるためのウエスト部弾性部材６がそれぞれ設けられている。また、上記背側部Ａの左右両側縁部には、おむつを止着するファスニングテープ２０がそれぞれ２ヵ所づつ設けられている。
【００１１】
上記弾性部材５，６としては、通常使い捨ておむつに用いられる弾性部材であれば特に制限なく用いることができ、また、これらの形状も特に制限されないが、上記弾性部材５の形状は紐状であるのが好ましく、上記弾性部材６の形状は帯状であるのが好ましい。
また、上記ファスニングテープ２０も、通常使い捨ておむつに用いられるファスニングテープを特に制限なく用いることができる。
【００１２】
また、上記トップシート２、上記バックシート３及び上記吸収体４は、それぞれ、中央が括れた砂時計状に形成されており、これらを形成する材料としては、下記するものを用いることができる。
【００１３】
上記トップシート２の材料としては、排泄物を吸収体４へ透過させる液透過性シートで肌着に近い感触を有したものが好ましく、このような液透過性シートとしては、例えば、織布、不織布、多孔性フィルム等が好ましく挙げられる。また、上記トップシート２には、その周縁部にシリコン系油剤、パラフィンワックス等の疎水性化合物を塗布する方法や、あらかじめアルキルリン酸エステルのような親水性化合物を全面に塗布し、次いでその周縁を温水で洗浄する方法により撥水処理を施し、周縁部における尿等のにじみによるモレを防止することができる。
【００１４】
上記バックシート３の材料としては、熱可塑性樹脂にフィラーを加えて延伸した液不透過性かつ蒸気を透過させる蒸気透過性のシートが用いられ、肌着に近い感触を有したもの、たとえば、バックシートにエンボス処理を施こしたもの、フィルムと不織布との複合材、あるいはフィルムと織布との複合材料等が用いられる。
【００１５】
上記吸収体４の材料としては、解繊パルプを主材とし、高分子吸水ポリマーを併用したものが好ましく、その他熱可塑性樹脂、セルロース繊維、あるいは高分子吸水ポリマーの混合物に熱処理したものが好ましい。高分子吸水ポリマーの存在位置は、上層、中層、下層のいずれであってもよく、パルプと混合したものであっても良い。高分子吸水ポリマーは自重の２０倍以上の液体を吸収して保持する性能を有し、ゲル化する性質を有する粒子状のものが好ましく、このような高分子吸水ポリマーとしては、デンプン−アクリル酸（塩）グラフト共重合体のケン化物、ナトリウムカルボキシメチルセルロースの架橋物、アクリル酸（塩）重合体等が好ましい。
【００１６】
而して、本実施例の使い捨ておむつ１は、上記トップシート２側における上記背側部Ａの幅方向略中央部に、おむつの長手方向に沿って目安線１０が設けられている。更に詳述すると、上記目安線１０は、上記トップシート１０に線を記入して、上記背側部Ａのみに設けられている。
【００１７】
そして、上記使い捨ておむつ１を使用するには、図２に示すように、使用者を横伏させた後、使用者のお尻側に上記使い捨ておむつ１のトップシート２側を上にして敷設し、図３に示すように、使用者を仰向けに転動させ、上位腹側部Ｃを使用者の腹側に位置させ、上記ファスニングテープ２０を上記ランディングテープ２１に粘着させておむつを止着することによりおむつを装着させて使用することができる。
また、上記使い捨ておむつ１は、図４に示すように、上記目安線１０を使用者の背骨に当接させるようにして位置決めをし、次いで、使用者を転動させることにより、図３に示すような状態としておむつを装着させることもできる。更に、痴呆性老人等に対しては、立位で装着させることが多いが、上記使い捨ておむつ１は、立ったままでも装着が容易である。
【００１８】
上述の如く、上記使い捨ておむつ１には、上記目安線１０が設けられているので、上記目安線１０の位置と使用者の背骨の位置とを確認することにより、おむつを該おむつの吸収性能を最大限に発揮し得る適正位置に容易に配することができる。
【００１９】
次に、図５〜図７を参照して、本発明の第２及び第３の実施例について説明する。ここで、図５は、本発明の第２の実施例を示す一部破断平面図であり、図６は、本発明の第３の実施例を示す平面図であり、図７は、図６に示す使い捨ておむつの１つの使用態様を示す概略斜視図である。尚、特に詳述しない点については、上述した第１の実施例と同じである。
【００２０】
図５に示す第２の実施例の使い捨ておむつ１は、上記吸収体４の上記背側部Ａ側の端縁を覆うように上記トップシートと上記バックシートとの間に配された、ウエストバリア７が設けられており、上記目安線は、この上記トップシートと上記バックシートとの間に配されたウエストバリアフィルムに設けられている。更に説明すると、上記ウエストバリア７は、上記吸収体４の上記端縁における上記トップシート２側及び上記バックシート３側の両面を覆って設けられており、上記ウエストバリアの上記トップシート２側に、上記目安線１０が設けられている。このように、上記ウエストバリア７上に上記目安線１０が設けられていることにより、下記する如き効果が奏される。即ち、背側だけに目安線を入れることができ位相ずれが生じない、また、低コスト化が可能である。
【００２１】
図６に示す第３の実施例の使い捨ておむつ１は、おむつの幅方向中央部に設けられた第１の目安線１０に加えて、更に、上記股下部Ｂにおけるおむつの長手方向略中央部に、おむつの幅方向に沿って第２の目安線１１が設けられている。更に詳述すると、上記の第１の目安線１０は、上記背側部Ａの端縁から上記腹側部の略中央（おむつの長手方向に対して上記腹側部の略中央）まで設けられており、また、上記の第２の目安線１１は、おむつの幅よりもやや小さい長さをもって設けられており、上記第２の目安線１１よりも背側部Ａより及び腹側部Ｃよりには、上記第２の目安線１１よりも短い第３の目安線１２がそれぞれ２個ずつ設けられている。
【００２２】
本実施例の使い捨ておむつ１は、このように構成されているので、おむつの幅方向に対する位置合わせが容易であるだけではなく、更におむつの長さ方向に対する位置合わせも容易である。即ち、おむつの位置合わせをする際に、おむつの幅方向に対する位置合わせを上記の第１の目安線１０により行い、また、おむつの長手方向に対する位置合わせを上記の第２の目安線１１及び第３の目安線１２により行うことにより、図７に示すように、容易におむつを適正位置に合わせることができる。また、パンツタイプのおむつの中に入れて使用する補助パットの装着に際しても、この幅方向に向けて設けられた第２の目安線が目安となり、該補助パットの装着を容易にする。
【００２３】
次に、図８を参照して、本発明の第４の実施例の使い捨ておむつについて説明する。ここで、図８は、本発明の第４の実施例の使い捨ておむつを示す平面図である。尚、特に詳述しない点は上述した本発明の上記の第１〜第３の実施例と同じである。図８に示す本発明の第４の実施例の使い捨ておむつは、液透過性のトップシート２と、液不透過性のバックシート３と、これら両シート間に配置される吸収体４とを有し、着用時に使用者の背側に位置する背側部Ａと腹側に位置する腹側部Ｃと股下に位置する股下部Ｂとが形成されてなる、展開型の使い捨ておむつである。そして、上記トップシート２側におけるおむつの長手方向略中央部に、おむつの幅方向に沿って目安線１０が、上記トップシート１０に線を記入することにより、設けられている。また、上記目安線１０はおむつの幅方向全部に設けられている。本発明の第４の実施例の使い捨ておむつにおいても、上記目安線１０が設けられていることにより本発明の上記の第１〜第３の実施例の使い捨ておむつと同じ効果を奏する。
【００２４】
尚、本発明において上記目安線１０は、図１に示す上記の第１の実施例には何ら限定されるものではなく、例えば、上記目安線の長さは、上記背側部から上記股下部Ｂ、更には上記腹側部Ｃにかけて設けられていてもよく、また、上記目安線１０は、幅方向略中央部に設けられていれば、更にその周囲に設けてもよい。また、上記目安線１０の形状も、単なる直線状のみならず、波線状、破線状、鎖線状、又は所定の図形を連続して記入したものでもよい。また、本発明は、上述した実施例に限定されるものではなく、本発明の趣旨を逸脱しない範囲で種々変更が可能である。
【図面の簡単な説明】
【００２５】
【図１】図１は、本発明の第１の実施例の使い捨ておむつのトップシート側を示す一部破断平面図である。
【図２】図２は、図１に示す使い捨ておむつの１つの使用態様を示す概略斜視図である。
【図３】図３は、図１に示す使い捨ておむつの１つの使用態様を示す概略斜視図である。
【図４】図４は、図１に示す使い捨ておむつの他の使用態様を示す概略斜視図である。
【図５】図５は、本発明の第２の実施例を示す一部破断平面図である。
【図６】図６は、本発明の第３の実施例を示す平面図である。
【図７】図７は、図６に示す使い捨ておむつの１つの使用態様を示す概略斜視図である。
【図８】図８は、本発明の第４の実施例の使い捨ておむつを示す平面図である。
【符号の説明】
【００２６】
１    使い捨ておむつ
２    トップシート
３    バックシート
４    吸収体
５    レッグ部弾性部材
６    ウエスト部弾性部材
７    ウエストバリア
１０    目安線
【図１】
2004216172.tif 000003
【図２】
2004216172.tif 000004
【図３】
2004216172.tif 000005
【図４】
2004216172.tif 000006
【図５】
2004216172.tif 000007
【図６】
2004216172.tif 000008
【図７】
2004216172.tif 000009
【図８】
2004216172.tif 000010